(57)【要約】【課題】パラ巻線を用いたパラ巻電動機において、ヨークの大型化、渡り線同士の干渉、ステータコアの外周側への渡り線の露呈を回避する。【解決手段】第１相渡り線２８ｂがヨーク対応部４０の第１ガイド部４７Ａ，４７Ｂで第２および第３相コイル部２９ａ，３０ａの内側を通り、第２相渡り線２９ｂがヨーク対応部４０の第２ガイド部４８Ａ，４８Ｂで第３相コイル部３０ａの内側を通るとともに第２および第３相コイル部２９ａ，３０ａ間の内側隆起部４５および外側隆起部４６のいずれか一方の第３ガイド部４９Ａ，４９Ｂと第３相コイル部３０ａの両側の内側隆起部４５および外側隆起部４６のいずれか一方の突出端部の外端面の第４ガイド部５０Ａ，５０Ｂとで第１相コイル部２８ａを外側から跨ぎ、第３相渡り線３０ｂが内側隆起部４５および外側隆起部４６のいずれか他方の第５ガイド部５１Ａ，５１Ｂで第１および第２相コイル部２８ａ，２９ａを外側から跨ぐ。【選択図】      図４
2020065413.tif 000002
【特許請求の範囲】
【請求項１】
内側ティース（３２）および外側ティース（３３）が環状のヨーク（３１）の内周および外周にそれぞれ複数ずつ突設されて成るステータコア（２６）と；
前記ヨーク（３１）に対応する部分に配置されるヨーク対応部（４０）、前記内側ティース（３２）に対応する部分に配置される複数の内側ティース対応部（４１Ａ，４１Ｂ，４１Ｃ，４１Ｄ，４１Ｅ，４１Ｆ）ならびに前記外側ティース（３３）に対応する部分に配置される複数の外側ティース対応部（４２Ａ，４２Ｂ，４２Ｃ，４２Ｄ，４２Ｅ，４２Ｆ）を有して前記ステータコア（２６）の軸線方向に沿う端部を覆う絶縁部材（２７）と；
前記内側ティース対応部（４１Ａ〜４１Ｆ）相互間ならびに前記外側ティース対応部（４２Ａ〜４２Ｆ）相互間の前記ヨーク（３１）および前記ヨーク対応部（４０）に周方向で順番にそれぞれトロイダル巻きで巻装される第１相コイル部（２８ａ）、第２相コイル部（２９ａ）および第３相コイル部（３０ａ）と、前記第１相コイル部（２８ａ）間を結ぶ複数の第１相渡り線（２８ｂ）、前記第２相コイル部（２９ａ）間を結ぶ複数の第２相渡り線（２９ｂ）、ならびに複数の第３相コイル部（３０ａ）間を結ぶ複数の第３相渡り線（３０ｂ）とをそれぞれ有するとともにＹ結線方式で結線される第１相巻線（２８）、第２相巻線（２９）および第３相巻線（３０）と：
を備えるトロイダル巻電動機において、
前記第１相巻線（２８）、前記第２相巻線（２９）および前記第３相巻線（３０）がパラ巻き線材から成り、
前記内側ティース（３２）および前記外側ティース（３３）の前記ヨーク（３１）からの突出長さ（ＬＡ，ＬＢ）が当該ヨーク（３１）の幅（Ｗ）よりも大きく設定され、
前記内側ティース対応部（４１Ａ〜４１Ｆ）に前記軸線に沿う方向で前記ヨーク対応部（４０）よりも外方に隆起した内側隆起部（４５）が設けられ、前記外側ティース対応部（４２Ａ〜４２Ｆ）に前記軸線に沿う方向で前記ヨーク対応部（４０）よりも外方に隆起した外側隆起部（４６）が設けられ、
前記第１相コイル部（２８ａ）から延出される前記第１相渡り線（２８ｂ）を前記軸線に沿う方向で前記第２相コイル部（２９ａ）および前記第３相コイル部（３０ａ）の内側を通すように導く第１ガイド部（４７Ａ，４７Ｂ）が前記ヨーク対応部（４０）に形成され、                                                                              前記第２相コイル部（２９ａ）から延出される前記第２相渡り線（２９ｂ）を前記軸線に沿う方向で前記第３相コイル部（３０ａ）の内側を通すように導く第２ガイド部（４８Ａ，４８Ｂ）が前記ヨーク対応部（４０）に形成され、前記第３相コイル部（３０ａ）および前記第１相コイル部（２８ａ）間に配置される前記内側隆起部（４５）および前記外側隆起部（４６）のいずれか一方に前記第２相渡り線（２９ｂ）を前記第２ガイド部（４８Ａ，４８Ｂ）から当該一方の隆起部の突出端部側に導く斜面状の第３ガイド部（４９Ａ，４９Ｂ）が形成され、前記第１相コイル部（２８ａ）の両側に配置される前記内側隆起部（４５）および前記外側隆起部（４６）のいずれか一方の突出端部のうち前記軸線に沿う方向での外端面に前記軸線に沿う方向で前記第１相コイル部（２８ａ）を外側から跨ぐように前記第３ガイド部（４９Ａ，４９Ｂ）から前記第２相渡り線（２９ｂ）を導く第４ガイド部（５０Ａ，５０Ｂ）が形成され、                                            前記第３相コイル部（３０ａ）から延出される前記第３相渡り線（３０ｂ）が前記軸線に沿う方向で前記第１相コイル部（２８ａ）および第２相コイル部（２９ａ）を外側から跨ぐように導く第５ガイド部（５１Ａ，５１Ｂ）が、前記第３相コイル部（３０ａ）および前記第１相コイル部（２８ａ）間、前記第１相コイル部（２８ａ）および前記第２相コイル部（２９ａ）間、ならびに前記第２相コイル部（２９ａ）および前記第３相コイル部（３０ａ）間にそれぞれ配置される前記内側隆起部（４５）および前記外側隆起部（４６）のいずれか他方の突出端部のうち前記軸線に沿う方向での外端面に形成されることを特徴とするトロイダル巻電動機。
【請求項２】
前記第１ガイド部（４７Ａ，４７Ｂ）および前記第２ガイド部（４８Ａ，４８Ｂ）は、前記ヨーク対応部（４０）と、パラ巻線材から成る前記第１相渡り線（２８ｂ）および前記第２相渡り線（２９ｂ）の太さよりも高くして前記ヨーク対応部（４０）から立ち上がるようにして前記絶縁部材（２７）に一体に形成される壁部（５２Ａ，５Ｂ；５３Ａ，５３Ｂ；５４Ａ，５４Ｂ；５６Ａ，５５Ｂ）とで線樋状に形成されつつ前記ヨーク対応部（４０）の半径方向で内外に隣接して配置されることを特徴とする請求項１に記載のトロイダル巻電動機。
【請求項３】
前記壁部（５２Ａ，５Ｂ；５３Ａ，５３Ｂ；５４Ａ，５４Ｂ；５６Ａ，５５Ｂ）が、前記内側隆起部（４５）および前記外側隆起部（４６）の少なくとも一方に一体に連なって形成されることを特徴とする請求項２に記載のトロイダル巻電動機。
【請求項４】
前記第１相コイル部（２８ａ）から延出される第１相渡り線（２８ｂ）を前記第１ガイド部（４７Ａ，４７Ｂ）側に導くようにして前記ステータコア（２６）の半径方向とは斜めに交差するように延びる第１ガイド面（５６Ａ，５６Ｂ）が、前記第１相コイル部（２８ａ）および前記第２相コイル部（２９ａ）間の前記内側隆起部（４５）および前記外側隆起部（４６）のいずれか他方に形成され、前記第２相コイル部（２９ａ）から延出される第２相渡り線（２９ｂ）を前記第２ガイド部（４８Ａ，４８Ｂ）側に導くようにして前記ステータコア（２６）の半径方向とは斜めに交差するように延びる第２ガイド面（５７Ａ，５７Ｂ）が、前記第２相コイル部（２９ａ）および前記第３相コイル部（３０ａ）間の前記内側隆起部（４５）および前記外側隆起部（４６）のいずれか一方に形成されることを特徴とする請求項１〜３のいずれか１項に記載のトロイダル巻電動機。
【請求項５】
前記ステータコア（２６）が円筒状の冷却スリーブ（１４）に焼き嵌めされ、複数の前記外側ティース対応部（４２Ａ〜４２Ｆ）のうち選択された前記外側ティース対応部（４２Ｂ，４２Ｅ）の突出端部にＵ字状の切欠き部（６２）が形成され、前記第１相渡り線（２８ｂ）、前記第２相渡り線（２９ｂ）および前記第３相渡り線（３０ｂ）は、前記切欠き部（６２）との重畳を避ける位置に配置されることを特徴とする請求項１〜４のいずれか１項に記載のトロイダル巻電動機。
【発明の詳細な説明】
【技術分野】
【０００１】
本発明は、内側ティースおよび外側ティースが環状のヨークの内周および外周にそれぞれ複数ずつ突設されて成るステータコアと；前記ヨークに対応する部分に配置されるヨーク対応部、前記内側ティースに対応する部分に配置される複数の内側ティース対応部、ならびに前記外側ティースに対応する部分に配置される複数の外側ティース対応部を有して前記ステータコアの軸線方向に沿う端部を覆う絶縁部材と；前記内側ティース対応部相互間ならびに前記外側ティース対応部相互間の前記ヨークおよび前記ヨーク対応部に周方向で順番にそれぞれトロイダル巻きで巻装される第１相コイル部、第２相コイル部および第３相コイル部と、前記第１相コイル部間を結ぶ複数の第１相渡り線、前記第２相コイル部間を結ぶ複数の第２相渡り線、ならびに複数の第３相コイル部間を結ぶ複数の第３相渡り線とをそれぞれ有するとともにＹ結線方式で結線される第１相巻線、第２相巻線および第３相巻線と：を備えるトロイダル巻電動機に関する。
【背景技術】
【０００２】
このようなトロイダル巻電動機は、特許文献１等で既に知られている。
【先行技術文献】
【特許文献】
【０００３】
【特許文献１】特許第４７８８７６９号公報
【発明の概要】
【発明が解決しようとする課題】
【０００４】
上記特許文献１で開示されたものでは、絶縁部材に複数の溝および複数のガイドポストが設けられ、第１相巻線の渡り線は溝を通って第２相および第３相巻線のコイル部の内側を通り、第２相巻線の渡り線はガイドポストでガイドされて第１相巻線のコイル部の外側を通るとともに溝によって第３相巻線のコイル部の内側を通り、第３相巻線の渡り線はガイドポストでガイドされて第１相および第２相巻線のコイル部の外側を通っているが、第１相および第２相巻線の渡り線が固定子のヨークに対応する部分で相互に交差するように配線されている。このような渡り線の配置構造は、上記特許文献１で開示されるような単線巻きであってヨークの幅よりもティースの突出長が小さい場合には許容されるが、電動機の出力向上のために大電流を流すべく、たとえば１０本の線材を束ねたパラ巻き線材を用いる場合には、ヨークの幅方向大型化や、渡り線同士の干渉が問題となる。また第３相巻線の渡り線はガイドポストにガイドされてステータコアの外周側に露呈しており、冷却ジャケットを構成するためにステータコアが円筒錠の冷却スリーブ内に焼き嵌めされる場合には、ステータコアの外周側に露呈した渡り線が邪魔となって冷却ジャケットを構成することが困難となる。
【０００５】
本発明は、かかる事情に鑑みてなされたものであり、パラ巻線を用いて出力向上を図るにあたってヨークの大型化および渡り線同士の干渉を回避するとともにステータコアの外周側への渡り線の露呈を回避し得るようにしたトロイダル巻電動機を提供することを目的とする。
【課題を解決するための手段】
【０００６】
上記目的を達成するために、本発明は、内側ティースおよび外側ティースが環状のヨークの内周および外周にそれぞれ複数ずつ突設されて成るステータコアと；                前記ヨークに対応する部分に配置されるヨーク対応部、前記内側ティースに対応する部分に配置される複数の内側ティース対応部、ならびに前記外側ティースに対応する部分に配置される複数の外側ティース対応部を有して前記ステータコアの軸線方向に沿う端部を覆う絶縁部材と；                                                                  前記内側ティース対応部相互間ならびに前記外側ティース対応部相互間の前記ヨークおよび前記ヨーク対応部に周方向で順番にそれぞれトロイダル巻きで巻装される第１相コイル部、第２相コイル部および第３相コイル部と、前記第１相コイル部間を結ぶ複数の第１相渡り線、前記第２相コイル部間を結ぶ複数の第２相渡り線、ならびに複数の第３相コイル部間を結ぶ複数の第３相渡り線とをそれぞれ有するとともにＹ結線方式で結線される第１相巻線、第２相巻線および第３相巻線と：                                        を備えるトロイダル巻電動機において、                                              前記第１相巻線、前記第２相巻線および前記第３相巻線がパラ巻き線材から成り、      前記内側ティースおよび前記外側ティースの前記ヨークからの突出長さが当該ヨークの幅よりも大きく設定され、                                                          前記内側ティース対応部に前記軸線に沿う方向で前記ヨーク対応部よりも外方に隆起した内側隆起部が設けられ、前記外側ティース対応部に前記軸線に沿う方向で前記ヨーク対応部よりも外方に隆起した外側隆起部が設けられ、                                    前記第１相コイル部から延出される前記第１相渡り線を前記軸線に沿う方向で前記第２相コイル部および前記第３相コイル部の内側を通すように導く第１ガイド部が前記ヨーク対応部に形成され、                                                                前記第２相コイル部から延出される前記第２相渡り線を前記軸線に沿う方向で前記第３相コイル部の内側を通すように導く第２ガイド部が前記ヨーク対応部に形成され、前記第３相コイル部および前記第１相コイル部間に配置される前記内側隆起部および前記外側隆起部のいずれか一方に前記第２相渡り線を前記第２ガイド部から当該一方の隆起部の突出端部側に導く斜面状の第３ガイド部が形成され、前記第１相コイル部の両側に配置される前記内側隆起部および前記外側隆起部のいずれか一方の突出端部のうち前記軸線に沿う方向での外端面に前記軸線に沿う方向で前記第１相コイル部を外側から跨ぐように前記第３ガイド部から前記第２相渡り線を導く第４ガイド部が形成され、                        前記第３相コイル部から延出される前記第３相渡り線が前記軸線に沿う方向で前記第１相コイル部および第２相コイル部を外側から跨ぐように導く第５ガイド部が、前記第３相コイル部および前記第１相コイル部間、前記第１相コイル部および前記第２相コイル部間、ならびに前記第２相コイル部および前記第３相コイル部間にそれぞれ配置される前記内側隆起部および前記外側隆起部のいずれか他方の突出端部のうち前記軸線に沿う方向での外端面に形成されることを第１の特徴とする。
【０００７】
また本発明は、第１の特徴の構成に加えて、前記第１ガイド部および前記第２ガイド部は、前記ヨーク対応部と、パラ巻線材から成る前記第１相渡り線および前記第２相渡り線の太さよりも高くして前記ヨーク対応部から立ち上がるようにして前記絶縁部材に一体に形成される壁部とで線樋状に形成されつつ前記ヨーク対応部の半径方向で内外に隣接して配置されることを第２の特徴とする。
【０００８】
本発明は、第２の特徴の構成に加えて、前記壁部が、前記内側隆起部および前記外側隆起部の少なくとも一方に一体に連なって形成されることを第３の特徴とする。
【０００９】
本発明は、第１〜第３の特徴の構成のいずれかに加えて、前記第１相コイル部から延出される第１相渡り線を前記第１ガイド部側に導くようにして前記ステータコアの半径方向とは斜めに交差するように延びる第１ガイド面が、前記第１相コイル部および前記第２相コイル部間の前記内側隆起部および前記外側隆起部の他方に形成され、前記第２相コイル部から延出される第２相渡り線を前記第２ガイド部側に導くようにして前記ステータコアの半径方向とは斜めに交差するように延びる第２ガイド面が、前記第２相コイル部および前記第３相コイル部間の前記内側隆起部および前記外側隆起部のいずれか一方に形成されることを第４の特徴とする。
【００１０】
さらに本発明は、第１〜第４の特徴の構成のいずれかに加えて、前記ステータコアが円筒状の冷却スリーブに焼き嵌めされ、複数の前記外側ティース対応部のうち選択された前記外側ティース対応部の突出端部にＵ字状の切欠き部が形成され、前記第１相渡り線、前記第２相渡り線および前記第３相渡り線は、前記切欠き部との重畳を避ける位置に配置されることを第５の特徴とする。
【発明の効果】
【００１１】
本発明の第１の特徴によれば、内側ティースおよび外側ティースのヨークからの突出長さがヨークの幅よりも大きなステータコアの軸線方向に沿う端部を覆う絶縁部材に、ヨークに対応する部分に配置されるヨーク対応部と、ヨーク対応部よりも外方に隆起した内側隆起部および外側隆起部を有して内側ティースおよび外側ティースにそれぞれ対応する複数ずつの内側ティース対応部および外側ティース対応部とが設けられ、第１、第２および第３相巻線がパラ巻き線材から成り、第１相渡り線を第２相コイル部および第３相コイル部の内側を通すように導く第１ガイド部がヨーク対応部に形成され、第２相渡り線を第３相コイル部の内側を通すように導く第２ガイド部がヨーク対応部に形成され、第２相コイル部および第３相コイル部間に配置される内側隆起部および前記外側隆起部のいずれか一方の隆起部に第２相渡り線を前記第２ガイド部から当該一方の隆起部の突出端部側に導く斜面状の第３ガイド部が形成され、第３相コイル部の両側に配置される内側隆起部および外側隆起部のいずれか一方の突出端部の外端面に前記軸線に沿う方向で第１相コイル部を外側から跨ぐように第３ガイド部から第２相渡り線を導く第４ガイド部が形成され、第３相渡り線が第１相コイル部および第２相コイル部を外側から跨ぐように導く第５ガイド部が内側隆起部および外側隆起部のいずれか他方の突出端部の外端面に形成されるので、第１相、第２相および第３相渡り線が相互に交差する箇所はなく、ヨーク対応部と、内側および外側隆起部との間には段差があるので、第２相コイル部および第３相コイル部の内側を通る第１相渡り線と、第２相渡り線のうち第３相コイル部の内側を通る部分とが第２相コイル部および第３相コイル部に干渉することは避けられ、渡り線同士の干渉を回避するとともにパラ巻線を用いたものであってもヨークの大型化を回避することができる。しかも第３相渡り線もステータコアの外周側に露呈することはない。
【００１２】
また本発明の第２の特徴によれば、第１ガイド部および第２ガイド部は、第１相渡り線および第２相渡り線の太さよりも高い壁部と、ヨーク対応部とで形成されてヨーク対応部の半径方向で内外に隣接して配置されるので、ヨーク対応部の狭いスペースに第１相渡り線および第２相渡り線を相互の干渉を回避しつつ絶縁シート等の貼り付けを不要として効率よく配置することができる。
【００１３】
本発明の第３の特徴によれば、壁部は内側隆起部および外側隆起部の少なくとも一方に一体に連なっているので、ヨーク対応部および壁部の剛性を確保することができる。
【００１４】
本発明の第４の特徴によれば、第１相渡り線を第１ガイド部側に導く第１ガイド面がステータコアの半径方向とは斜めに交差する第１ガイド面が、第１相コイル部および第２相コイル部間の内側隆起部および外側隆起部のいずれか他方に形成され、第２相渡り線を第２ガイド部側に導くようにしてステータコアの半径方向とは斜めに交差する第２ガイド面が第２相コイル部および第３相コイル部間の内側隆起部および外側隆起部のいずれか一方に形成されるので、第１相渡り線および第２相渡り線を第１相コイル部および第２相コイル部から第１ガイド部および第２ガイド部に滑らかに導くことができる。
【００１５】
さらに本発明の第５の特徴によれば、ステータコアが円筒状の冷却スリーブに焼き嵌めされ、複数の外側ティース対応部のうち選択された複数の外側ティース対応部の突出端部にＵ字状の切欠き部が形成され、第１相渡り線、第２相渡り線および第３相渡り線は切欠き部との重畳を避ける位置に配置されるので、絶縁部材が装着された状態のステータコアを前記切欠き部に挿入される治具で冷却スリーブに容易に押し込むことができる。
【図面の簡単な説明】
【００１６】
【図１】トロイダル巻電動機の縦断面図である。
【図２】絶縁部材の一部を破断した状態でのステータの正面図である。
【図３】絶縁部材の一部を示す図である。
【図４】第１相巻線、第２相巻線および第３相巻線の巻き付け過程を順次示す図である。
【発明を実施するための形態】
【００１７】
本発明の実施の形態について添付の図１〜図４を参照しながら説明すると、先ず図１において、このトロイダル巻電動機５は、ロータ６と、該ロータ６を囲繞する円筒状のステータ７と、前記ロータ６および前記ステータ７を収容するケーシング８とを備える。
【００１８】
前記ケーシング８は、前記ステータ７の軸線と同軸の円筒部８ａと、その円筒部８ａの一端部（図１の左端部）から半径方向内方に張り出す第１の内向き鍔部８ｂと、その第１の内向き鍔部８ｂの内周に連なる短円筒状の第１の軸受ハウジング部８ｃと、前記円筒部８ａの他端部（図１の右端部）から半径方向外方に張り出す第１の外向き鍔部８ｄと、前記円筒部８ａの外周の周方向に等間隔をあけた複数箇所（たとえば８箇所）に突設される補強リブ８ｅと、前記円筒部８ａの周方向に等間隔をあけた複数箇所（たとえば４箇所）で前記第１の外向き鍔部８ｄからさらに半径方向外方に突出する支持突部８ｆとを一体に有してアルミニウム等の軽金属で形成される。
【００１９】
前記補強リブ８ｅは、前記円筒部８ａの一端部から他端部に向かうにつれて前記円筒部８ａからの半径方向外方への突出量が大きくなるようにして前記第１の外向き鍔部８ｄに連設されており、前記支持突部８ｆは、前記第１の外向き鍔部８ｄの周方向で相互に隣接して対をなす前記補強リブ８ｅ間で前記第１の外向き鍔部８ｄから半径方向外方に突出する。
【００２０】
前記ロータ６に同軸に設けられた回転軸１０の一端部は前記第１の内向き鍔部８ｂの中央部を貫通し、前記第１の軸受ハウジング部８ｃおよび前記回転軸１０間に第１のボールベアリング１１が介装される。また前記第１の内向き鍔部８ｂからの前記回転軸１０の突出部を囲繞するレゾルバ１２が、前記第１の内向き鍔部８ｂの中央部に支持され、前記レゾルバ１２とともに前記回転軸１０の一端部を外方から覆うカバー１３が、前記第１の内向き鍔部８ｂの中央部外面に取り付けられる。
【００２１】
前記ケーシング８の前記円筒部８ａおよび前記ステータ７間には円筒状の冷却スリーブ１４が挿入される。この冷却スリーブ１４の前記第１の内向き鍔部８ｂとは反対側の端部には、当該冷却スリーブ１４の前記端部から半径方向内方に張り出す第２の内向き鍔部１４ａと、前記ケーシング８が有する前記第１の外向き鍔部８ｄに外側から重なるようにして半径方向外方に張り出す第２の外向き鍔部１４ｂとが一体に連設され、前記第２の内向き鍔部１４ａの内周には、前記回転軸１０との間に介在する第２のボールベアリング２０が装着される短円筒状の第２の軸受ハウジング部１４ｃが一体に形成され、前記第２の外向き鍔部１４ｂの周方向に等間隔をあけた複数箇所（たとえば４箇所）には、前記ケーシング８が有する前記支持突部８ｆに外側から重なるようにして半径方向外方に突出する取り付け突部１４ｄが一体に突設される。また前記取り付け突部１４ｄは前記支持突部８ｆに複数ずつのボルト１５で締結される。
【００２２】
前記冷却スリーブ１４の外面には、前記ケーシング８における前記円筒部８ａの一端部の内面に弾発接触する環状の第１のシール部材１６を外周に嵌着させた環状の第１のシール突部１８と、前記円筒部８ａの他端部の内面に弾発接触する環状の第２のシール部材１９を外周に嵌着させるようにして前記第２の外向き鍔部１４ｂに連なる環状の第２のシール突部２１と、第１および第２のシール突部１８，２１間に等間隔をあけて配置されて周方向に延在する複数個たとえば５個の冷却フィン２２が突設される。
【００２３】
前記冷却フィン２２は、前記ケーシング８における円筒部８ａの内面に当接もしくは近接、対向するように前記冷却スリーブ１４の外面から突出するものであり、このような冷却スリーブ１４を前記ケーシング８の前記円筒部８ａおよび前記ステータ７間に挿入することで、前記冷却スリーブ１４および前記円筒部８ａ間には、前記冷却フィン２２に沿って冷却流体を流通させる複数個たとえば６個の冷却チャンネル２３が形成される。
【００２４】
前記ケーシング８の前記円筒部８ａには、前記冷却チャンネル２３の周方向一端部に冷却胴体を導入する冷却流体導入管２４と、前記冷却チャンネル２３の周方向他端部から冷却胴体を導出するする冷却流体導出管２５とが、前記円筒部８ａから側方に突出するようにして前記円筒部８ａに接続される。
【００２５】
図２を併せて参照して、前記ステータ７は、ステータコア２６と、当該ステータコア２６の軸線方向に沿う端部を覆う一対の絶縁部材２７と、前記ステータコア２６に前記絶縁部材２７を介して巻装されるとともにＹ結線方式で結線される第１相巻線２８、第２相巻線２９および第３相巻線３０とを備え、第１〜第３相巻線２８〜３０は、たとえば１０本の線材を束ねたパラ巻き線材から成る。
【００２６】
前記ステータコア２６は、複数枚の鉄心板が積層されて成るものであり、前記ロータ６を囲繞する環状のヨーク３１と、当該ヨーク３１の内周の周方向に等間隔をあけた複数箇所（この実施の形態では３６箇所）に突設される内側テイース３２と、前記ヨーク３１の外周の前記内側ティース３２に対応した複数箇所（この実施の形態では３６箇所）に突設される外側ティース３３とを一体に有し、前記内側ティース３２および前記外側ティース３３の前記ヨーク３１からの突出長さＬＡ，ＬＢは前記ヨーク３１の幅Ｗよりも大きく設定される。しかも前記ステータコア２６は、周方向に等分割される３個のコア片３４、すなわち周方向で１２０度の円弧状に形成されるコア片３４が、図２に示す鎖線Ｌ上で相互に結合されて成るものである。
【００２７】
図３を併せて参照して、前記絶縁部材２７は、前記ステータコア２６の軸方向両端部にそれぞれ嵌合、装着されるものであり、６０度ずつの円弧状に形成されて前記コア片３４の両端部に装着される絶縁部材片３５が、前記ステータコア２６の軸方向両端部にそれぞれ６個ずつ配設される。
【００２８】
前記絶縁部材片３５は、前記ステータコア２６の前記ヨーク３１に対応する部分に配置されるヨーク対応部４０と、前記内側ティース３２に対応する部分に配置されつつ前記ヨーク対応部４０から突設される第１、第２、第３、第４および第５の内側ティース対応部４１Ａ，４１Ｂ，４１Ｃ，４１Ｄ，４１Ｅと、前記第１〜第５の内側ティース対応部４１Ａ〜４１Ｅ相互間の間隔と同一の間隔を前記第１の内側ティース対応部４１Ａとの間にあけて前記ヨーク対応部４０から突設される第１の半内側ティース対応部４３Ａと、前記第１〜第５の内側ティース対応部４１Ａ〜４１Ｅ相互間の間隔と同一の間隔を前記第５の内側ティース対応部４１Ｅとの間にあけて前記ヨーク対応部４０から突設される第２の半内側ティース対応部４３Ｂと、前記外側ティース３３に対応する部分に配置されつつ前記ヨーク対応部４０から突設される第１、第２、第３、第４および第５の外側ティース対応部４２Ａ，４２Ｂ，４２Ｃ，４２Ｄ，４２Ｅと、前記第１〜第５の外側ティース対応部４２Ａ〜４２Ｅ間の間隔と同一の間隔を前記第１の外側ティース対応部４２Ａとの間にあけて前記ヨーク対応部４０から突設される第１の半外側ティース対応部４４Ａと、前記第第１〜第５の外側ティース対応部４２Ａ〜４２Ｅ間の間隔と同一の間隔を前記第５の外側ティース対応部４２Ｅとの間にあけて前記ヨーク対応部４０から突設される第２の半外側ティース対応部４４Ｂとを有する。
【００２９】
前記第１の半内側ティース対応部４３Ａおよび前記第２の半内側ティース対応部４３Ｂは、前記絶縁部材片３５が相互に結合されたときに第６の内側ティース対応部４１Ｆを協働して構成し、前記第１の半外側ティース対応部４４Ａおよび前記第２の半外側ティース対応部４４Ｂは、前記絶縁部材片３５が相互に結合されたときに第６の外側ティース対応部４２Ｆを協働して構成する。
【００３０】
前記第１〜第６の内側ティース対応部４１Ａ〜４１Ｆには、前記ステータコア２６の軸線に沿う方向で前記ヨーク対応部４０よりも外方に隆起した内側隆起部４５がそれぞれ設けられ、前記第１〜第６の外側ティース対応部４２Ａ〜４２Ｆには、前記ステータコア２６の軸線に沿う方向で前記ヨーク対応部４０よりも外方に隆起した外側隆起部４６がそれぞれ設けられる。
【００３１】
前記第１相巻線２８、前記第２相巻線２９および前記第３相巻線３０は、前記コア片３４の軸方向両端部に一対ずつの前記絶縁部材片３５がそれぞれ装着された状態で巻き付けられる。
【００３２】
第１相巻線２８、第２相巻線２９および第３相巻線３０は、前記第１〜第６の内側ティース対応部４１Ａ〜４１Ｆ相互間ならびに前記第１〜第６の外側ティース対応部相互４２Ａ〜４２Ｆ間で前記ヨーク３１および前記ヨーク対応部４０に、たとえば図２〜図４の反時計方向で周方向順番にトロイダル巻きで巻装される第１相コイル部２８ａ、第２相コイル部２９ａおよび第３相コイル部３０ａと、前記第１相コイル部２８ａ間を結ぶ複数の第１相渡り線２８ｂ、前記第２相コイル部２９ａ間を結ぶ複数の第２相渡り線２９ｂ、ならびに複数の第３相コイル部３０ａ間を結ぶ複数の第３相渡り線３０ｂとをそれぞれ有するとともに、Ｙ結線方式で結線される。
【００３３】
この実施の形態で第１相コイル部２８ａは、図４（ａ）で示すように、第６および第１の内側ティース対応部４１Ｆ，４１Ａ相互間ならびに第６および第１の外側ティース対応部４２Ｆ，４２Ａ相互間で前記ヨーク３１および前記ヨーク対応部４０にトロイダル巻きで巻装されるとともに、第３および第４の内側ティース対応部４１Ｃ，４１Ｄ相互間ならびに第３および第４の外側ティース対応部４２Ｃ，４２Ｄ相互間で前記ヨーク３１および前記ヨーク対応部４０にトロイダル巻きで巻装され、第２相コイル部２９ａは、図４（ｂ）で示すように、第１および第２の内側ティース対応部４１Ａ，４１Ｂ相互間ならびに第１および第２の外側ティース対応部４２Ａ，４２Ｂ相互間で前記ヨーク３１および前記ヨーク対応部４０にトロイダル巻きで巻装されるとともに、第４および第５の内側ティース対応部４１Ｄ，４１Ｅ相互間ならびに第４および第５の外側ティース対応部４２Ｄ，４２Ｅ相互間で前記ヨーク３１および前記ヨーク対応部４０にトロイダル巻きで巻装され、第３相コイル部３０ａは、図４（ｃ）で示すように、第２および第３の内側ティース対応部相互４１Ｂ，４１Ｃ間ならびに第２および第３の外側ティース対応部４２Ｂ，４２Ｃ相互間で前記ヨーク３１および前記ヨーク対応部４０にトロイダル巻きで巻装されるとともに、第５および第６の内側ティース対応部４１Ｅ，４１Ｆ相互間ならびに第５および第６の外側ティース対応部４２Ｅ，４２Ｆ相互間で前記ヨーク３１および前記ヨーク対応部４０にトロイダル巻きで巻装される。
【００３４】
前記ヨーク対応部４０には、前記第１相コイル部２８ａから延出される前記第１相渡り線２８ｂを前記ステータコア２６の軸線に沿う方向で前記第２相コイル部２９ａおよび前記第３相コイル部３０ａの内側を通すように導く第１ガイド部４７Ａ，４７Ｂが形成される。この実施の形態では、第６および第１の内側ティース対応部４１Ｆ，４１Ａ相互間ならびに第６および第１の外側ティース対応部４２Ｆ，４２Ａ相互間に在る前記第１相コイル部２８ａの巻終部は、第１の内側ティース対応部４１Ａ側に在り、第６および第１の内側ティース対応部４１Ｆ，４１Ａ相互間ならびに第６および第１の外側ティース対応部４２Ｆ，４２Ａ相互間に在る前記第１相コイル部２８ａから延出される第１相渡り線２８ｂを導く第１ガイド部４７Ａは前記ヨーク対応部４０の内周寄りに配置される。また前記第３および第４の内側ティース対応部４１Ｃ，４１Ｄ相互間ならびに第３および第４の外側ティース対応部４２Ｃ，４２Ｄ相互間に在る前記第１相コイル部２８ａの巻終部は前記第４の外側ティース対応部４２Ｄ側に在り、前記第３および第４の内側ティース対応部４１Ｃ，４１Ｄ相互間ならびに第３および第４の外側ティース対応部４２Ｃ，４２Ｄ相互間に在る前記第１相コイル部２８ａから延出される第１相渡り線２８ｂを導く第１ガイド部４７Ｂは前記ヨーク対応部４０の外周寄りに配置される。
【００３５】
また前記ヨーク対応部４０には、前記第２相コイル部２９ａから延出される前記第２相渡り線２９ｂを前記ステータコア２６の軸線に沿う方向で前記第３相コイル部３０ａの内側を通すように導く第２ガイド部４８Ａ，４８Ｂが形成される。この実施の形態では、第１および第２の内側ティース対応部４１Ａ，４１Ｂ相互間ならびに第１および第２の外側ティース対応部４２Ａ，４２Ｂ相互間に在る第２相コイル部２９ａの巻終部は、第２外側ティース対応部４２Ｂ側に在り、第１および第２の内側ティース対応部４１Ａ，４１Ｂ相互間ならびに第１および第２の外側ティース対応部４２Ａ，４２Ｂ相互間に在る第２相コイル部２９ａから延出される第２相渡り線２９ｂを導く第２ガイド部４８Ｂは、第２および第３の外側ティース対応部４２Ｂ，４２Ｃに対応する部分では前記ステータコア２６の半径方向で前記第１ガイド部４７Ａの外側に隣接して配置されるようにして前記ヨーク部４０の外周寄りに配置される。また第４および第５の内側ティース対応部４１Ｄ，４１Ｅ相互間ならびに第４および第５の外側ティース対応部４２Ｄ，４２Ｅ相互間に在る第２相コイル部２９ａの巻終部は、第５内側ティース対応部４１Ｅ側に在り、第４および第５の内側ティース対応部４１Ｄ，４１Ｅ相互間ならびに第４および第５の外側ティース対応部４２Ｄ，４２Ｅ相互間に在る第２相コイル部２９ａから延出される第２相渡り線２９ｂを導く第２ガイド部４８Ａは、第５および第６の内側ティース対応部４１Ｅ，４１Ｆに対応する部分では前記ステータコア２６の半径方向で前記第１ガイド部４７Ｂの内側に隣接して配置されるようにして前記ヨーク部４０の内周寄りに配置される。
【００３６】
また前記第３相コイル部３０a および前記第１相コイル部２８ａ間に配置される前記内側隆起部４５および外側隆起部４６のいずれか一方に前記第２相渡り線２９ｂを前記第２ガイド部４７Ａ，４７Ｂから当該一方の隆起部の突出端部側に導く斜面状の第３ガイド部４９Ａ，４９Ｂが形成される。この実施の形態では、前記第３相コイル部３０a および前記第１相コイル部２８ａ間には、前記第３および前記第６の内側ティース対応部４１Ｃ，４１Ｆならびに前記第３および前記第６の外側ティース対応部４２Ｃ，４２Ｆが配置されており、前記第３の外側ティース対応部４２Ｃの外側隆起部４６に第３ガイド部４９Ｂが形成され、前記第６の内側ティース対応部４１Ｆの内側隆起部４５に第３ガイド部４９Ａが形成される。
【００３７】
また前記第１相コイル部２８ａの両側に配置される前記内側隆起部４５および前記外側隆起部４６のいずれか一方の突出端部のうち前記ステータコア２６の軸線に沿う方向での外端面には前記ステータコア２６の軸線に沿う方向で前記第１相コイル部２８ａを外側から跨ぐように前記第３ガイド部４９Ａ，４９Ｂから前記第２相渡り線２９ｂを導く第４ガイド部５０Ａ，５０Ｂが形成される。この実施の形態では、前記第１相コイル部２９ａの両側には、前記第６の内側ティース対応部４１Ｆおよび前記第１の内側ティース対応部４１Ａならびに前記第６の外側ティース対応部４２Ｆおよび前記第１の外側ティース対応部４２Ａと、前記第３の内側ティース対応部４１Ｃおよび前記第４の内側ティース対応部４１Ｄならびに前記第３の外側ティース対応部４２Ｃおよび前記第４の外側ティース対応部４２Ｄとが配置されており、第６および第１の内側ティース対応部４１Ｆ，４１Ａの内側隆起部４５の突出端部に第４ガイド部５０Ａが形成され、第３および第４の外側ティース対応部４２Ｃ，４２Ｄの外側隆起部４６の突出端部に第４ガイド部５０Ｂが形成される。
【００３８】
前記第３相コイル部３０ａおよび前記第１相コイル部２８ａ間、前記第１相コイル部２８ａおよび前記第２相コイル部２９ａ間、ならびに前記第２相コイル部２９ａおよび前記第３相コイル部３０ａ間にそれぞれ配置される前記内側隆起部４５および前記外側隆起部４６のいずれか他方の突出端部のうち前記ステータコア２６の軸線に沿う方向での外端面には、前記第３相コイル部３０ａから延出される前記第３相渡り線３０ｂが前記軸線に沿う方向で前記第１相コイル部２８ａおよび第２相コイル部２９ａを外側から跨ぐように導く第５ガイド部５１Ａ，５１Ｂが形成される。この実施の形態では、前記第３相コイル部３０ａおよび前記第１相コイル部２８ａ間に配置される前記第３、前記第４および前記第５の内側ティース対応部４１Ｃ，４１Ｄ，４１Ｅの前記内側隆起部４５の突出端部に第５ガイド部５１Ａが溝状に形成され、前記第６、前記第１および前記第２の外側ティース対応部４２Ｆ，４２Ａ，４２Ｂの前記外側隆起部４６の突出端部に第５ガイド部５１Ｂが溝状に形成される。
【００３９】
ところで前記第１ガイド部４７Ａ，４７Ｂおよび前記第２ガイド部４８Ａ，４８Ｂは、前記ヨーク対応部４０と、パラ巻線材から成る前記第１相渡り線２８ｂおよび前記第２相渡り線２９ｂの太さよりも高くして前記ヨーク対応部から立ち上がるとともに前記内側隆起部４５および前記外側隆起部４６の少なくとも一方に連なって前記絶縁部材２７の前記絶縁部材片３５に一体に形成される第１、第２、第３および第４の壁部５２，５３，５４，５５とで線樋状に形成されつつ前記ヨーク対応部４０の半径方向で内外に隣接して配置される。しかも前記第１〜第４の壁部５２〜５５は、前記内側隆起部４５および前記外側隆起部４６の少なくとも一方に一体に連なって形成される。
【００４０】
前記第１ガイド部４７Ａ，４７Ｂは、第１、第２および第３の壁部５２Ａ，５２Ｂ；５３Ａ，５３Ｂ；５４Ａ，５４Ｂと、前記ヨーク対応部４０とで形成される。この実施の形態で、第６および第１の内側ティース対応部４１Ｆ，４１Ａ相互間ならびに第６および第１の外側ティース対応部４２Ｆ，４２Ａ相互間に在る前記第１相コイル部２８ａから延出される第１相渡り線２８ｂを導く第１ガイド部４７Ａは、第１の外側ティース対応部４２Ａの外側隆起部４６および第３の外側ティース対応部４２Ｃの外側隆起部４６に両端部を一体に連ならせた第１の壁部５２Ｂと、第１および第２の内側ティース対応部４１Ａ，４１Ｂの内側隆起部４５に両端部を一体に連ならせた第２の壁部５３Ａならびに第２および第３の内側ティース対応部４１Ｂ，４１Ｃの内側隆起部４５に両端部を一体に連ならせた第３の壁部５４Ａと、前記ヨーク対応部４０とで形成される。また前記第３および第４の内側ティース対応部４１Ｃ，４１Ｄ相互間ならびに第３および第４の外側ティース対応部４２Ｃ，４２Ｄ相互間に在る前記第１相コイル部２８ａから導出される第１相渡り線２８ｂを導く第１ガイド部４７Ｂは、第４の内側ティース対応部４１Ｄの内側隆起部４５ならびに第６の内側ティース対応部４１Ｆの内側隆起部４５に両端を一体に連ならせた第１の壁部５２Ａと、第４および第５の外側ティース対応部４２Ｄ，４２Ｅの外側隆起部４６に両端部を一体に連ならせた第２の壁部５３Ｂならびに第５および第６の外側ティース対応部４２Ｅ，４２Ｆの外側隆起部４６に両端を一体に連ならせた第３の壁部５４Ｂと、前記ヨーク対応部４０とで形成される。
【００４１】
前記第２ガイド部４８Ａ，４８Ｂは、第１および第４の壁部５２Ａ，５２Ｂ；５５Ａ，５５Ｂと、前記ヨーク対応部４０とで形成される。この実施の形態で、第１および第２の内側ティース対応部４１Ａ，４１Ｂ相互間ならびに第１および第２の外側ティース対応部４２Ａ，４２Ｂ相互間に在る第２相コイル部２９ａから延出される第２相渡り線２９ｂを導く第２ガイド部４８Ｂは、第２および第３の外側ティース対応部４２Ｂ，４２Ｃの外側隆起部４６に両端部を一体に連ならせた第４の壁部５５Ｂと、前記第１の外側ティース対応部４２Ａの外側隆起部４６および前記第３の外側ティース対応部４２Ｃの外側隆起部４６に両端部を一体に連ならせた前記第１の壁部５２Ｂと、前記ヨーク対応部４０とで形成され、第４および第５の内側ティース対応部４１Ｄ，４１Ｅ相互間ならびに第４および第５の外側ティース対応部４２Ｄ，４２Ｅ相互間に在る第２相コイル部２９ａから延出される第２相渡り線２９ｂを導く第２ガイド部４８Ａは、第５および第６の内側ティース対応部４１Ｅ，４１Ｆの内側隆起部４５に両端部を一体に連ならせた第４の壁部５５Ａと、前記第４の内側ティース対応部４１Ｄの内側隆起部４５ならびに前記第６の内側ティース対応部４１Ｆの内側隆起部４５に両端を一体に連ならせた前記第１の壁５２Ａと、前記ヨーク対応部４０とで形成される。
【００４２】
また前記第１相コイル部２８ａから延出される第１相渡り線２８ｂを前記第１ガイド部４７Ａ，４７Ｂ側に導くようにして前記ステータコア２６の半径方向とは斜めに交差するように延びる第１ガイド面５６Ａ，５６Ｂが、前記第１相コイル部２８ａおよび前記第２相コイル部２９ａ間の前記内側隆起部４５および前記外側隆起部４６のいずれか他方に形成され、この実施の形態では、第１の内側ティース対応部４１Ａの内側隆起部４５に第１ガイド面５６Ａが形成され、第４の外側ティース対応部４２Ｄの外側隆起部４６に第１ガイド面５６Ｂが形成される。
【００４３】
また前記第２相コイル部２９ａから延出される第２相渡り線２９ｂを前記第２ガイド部４８Ａ，４８Ｂ側に導くようにして前記ステータコア２６の半径方向とは斜めに交差するように延びる第２ガイド面５７Ａ，５７Ｂが、前記第２相コイル部２９ａおよび前記第３相コイル部３０ａ間の前記内側隆起部４５および前記外側隆起部４６のいずれか一方に形成され、この実施の形態では、第２の外側ティース対応部４２Ｂの外側隆起部４６に第２ガイド面５７Ｂが形成され、第５の内側ティース対応部４１Ｅの内側隆起部４５に第２ガイド面５７Ａが形成される。
【００４４】
ところで前記コア片３４の両端部に一対ずつの前記絶縁部材片３５がそれぞれ装着された状態で前記第１相巻線２８、前記第２相巻線２９および前記第３相巻線３０が巻き付けられることで構成される第１、第２および第３の小組みユニット５８Ａ，５８Ｂ，５８Ｃが、図２で示すように相互に結合されることでステータ７が組立られるものであり、第１〜第３の小組みユニット５８Ａ〜５８Ｃにおける第１相巻線２８の第１相渡り線２８ｂの終端、第２相巻線２９の第２相渡り線２９ｂの終端、ならびに第３相巻線３０の第３相渡り線３０ｂの終端は、第１〜第３の小組みユニット５８Ａ〜５８Ｃの結合部近傍すなわち図２に示す鎖線Ｌの近傍に配置される結線部５９Ａ，５９Ｂ，５９Ｃで結線される。
【００４５】
また第１〜第３の小組みユニット５８Ａ〜５８Ｃにおける周方向一端部の第１相コイル部２８ａにそれぞれ連なるリード線６０Ａは第１相巻線用端子６１Ａに接続され、第１〜第３の小組みユニット５８Ａ〜５８Ｃにおける周方向一端部の第２相コイル部２９ａにそれぞれ連なるリード線６０Ｂは第２相巻線用端子６１Ｂに接続され、第１〜第３の小組みユニット５８Ａ〜５８Ｃにおける周方向一端部の第３相コイル部３０ａにそれぞれ連なるリード線６０Ｃは第３相巻線用端子６１Ｃに接続される。
【００４６】
また前記ステータ７のステータコア２６は、円筒状の冷却スリーブ１４に焼き嵌めされるものであり、前記ステータ７の前記絶縁部材２７が有する複数の前記外側ティース対応部４２Ａ〜４２Ｆのうち選択された前記外側ティース対応部、この実施の形態では第２および第５の外側ティース対応部４２Ｂ，４２Ｅの突出端部には、前記絶縁部材２７が装着された状態のステータコア２６を押し込むための治具を挿入可能としたＵ字状の切欠き部６２が形成され、前記第１相渡り線２８ｂ、前記第２相渡り線２９ｂおよび前記第３相渡り線３０ｂは、前記切欠き部６２との重畳を避ける位置に配置される。
【００４７】
次にこの実施の形態の作用について説明すると、ステータコア２６の軸線方向に沿う端部を覆う絶縁部材２７は、前記ステータコア２６のヨーク３１に対応する部分に配置されるヨーク対応部４０と、前記ステータコア２６の内側ティース３２に対応する部分に配置される第１〜第６の内側ティース対応部４１Ａ〜４１Ｆと、前記ステータコア２６の外側ティース３３に対応する部分に配置される第１〜第６の外側ティース対応部４２Ａ〜４２Ｆとを有し、前記ヨーク対応部４０よりも前記ステータコア２６の軸線に沿う方向で外方に隆起した内側隆起部４５が前記第１〜第６の内側ティース対応部４１Ａ〜４１Ｆに設けられ、前記ヨーク対応部４０よりも前記ステータコア２６の軸線に沿う方向で外方に隆起した外側隆起部４６が前記第１〜第６の外側ティース対応部４２Ａ〜４２Ｆに設けられ、第１、第２および第３相巻線２８，２９，３０がパラ巻き線材から成り、第１相渡り線２８ｂを第２相コイル部２９ａおよび第３相コイル部３０ａの内側を通すように導く第１ガイド部４７Ａ，４７Ｂが前記ヨーク対応部４０に形成され、第２相渡り線２９ｂを第３相コイル部３０ａの内側を通すように導く第２ガイド部４８Ａ，４８Ｂが前記ヨーク対応部４０に形成され、第２相コイル部２９ａおよび第３相コイル部３０ａ間に配置される前記内側隆起部４５および前記外側隆起部４６のいずれか一方の隆起部（この実施の形態では第３の外側ティース対応部４２Ｃの外側隆起部４６ならびに第６の内側ティース対応部４１Ｆの内側隆起部４５）に第２ガイド部４７Ａ，４７Ｂからの第２相渡り線２９ｂを前記一方の隆起部の突出端部側に導く第３ガイド部４９Ａ，４９Ｂがそれぞれ形成され、第１相コイル部２８ａの両側に配置される内側隆起部４５および外側隆起部４６のいずれか一方（この実施の形態では第６および第１の内側ティース対応部４１Ｆ，４１Ａの内側隆起部４５ならびに第３および第４の外側ティース対応部４２Ｃ，４２Ｄの外側隆起部４６）の突出端部の外端面に前記ステータコア２６軸線に沿う方向で第１相コイル部２８ａを外側から跨ぐように第３ガイド部４９Ａ，４９Ｂから第２相渡り線２９ｂを導く第４ガイド部５０Ａ，５０Ｂが形成され、第３相渡り線３０ｂが第１相コイル部２８ａおよび第２相コイル部２９ａを外側から跨ぐように導く第５ガイド部５１Ａ，５１Ｂが内側隆起部４５および外側隆起部４６のいずれか他方（この実施の形態では第３、第４および第５の内側ティース対応部４１Ｃ，４１Ｄ，４１Ｅの内側隆起部４５、ならびに第６、第１および第２の外側ティース対応部４２Ｆ，４２Ａ，４２Ｂの外側隆起部４６）の突出端部の外端面に形成される。
【００４８】
したがって第１相、第２相および第３相渡り線２８ｂ，２９ｂ，３０ｂが相互に交差する箇所はなく、ヨーク対応部４０と、内側および外側隆起部４５，４６との間には段差があるので、第２相コイル部２９ａおよび第３相コイル部３０ａの内側を通る第１相渡り線２８ｂと、第２相渡り線２９ｂのうち第３相コイル部３０ａの内側を通る部分とが第２相コイル部２９ａおよび第３相コイル部３０ａに干渉することは避けられ、第１〜第３相渡り線２８ｂ，２９ｂ，３０ｂ同士の干渉を回避するとともに、パラ巻線を用いたものであってもヨーク３１の大型化を回避することができる。しかも第３相渡り線３０ｂも前記ステータコア２６の外周側に露呈することはない。
【００４９】
また前記第１ガイド部４７Ａ，４７Ｂおよび前記第２ガイド部４８Ａ，４８Ｂは、前記ヨーク対応部４０と、パラ巻線材から成る前記第１相渡り線２８ｂおよび前記第２相渡り線２９ｂの太さよりも高くして前記ヨーク対応部４０から立ち上がるようにして前記絶縁部材２７の絶縁部材片３５に一体に形成される第１〜第４の壁部５２Ａ，５２Ｂ；５３Ａ，５３Ｂ；５４Ａ，５４Ｂ；５５Ａ，５５Ｂとで線樋状に形成されつつ前記ヨーク対応部４０の半径方向で内外に隣接して配置されるので、前記ヨーク対応部４０の狭いスペースに第１相渡り線２８ｂおよび第２相渡り線２９ｂを相互の干渉を回避しつつ絶縁シート等の貼り付けを不要として効率よく配置することができる。
【００５０】
しかも前記第１〜第４の壁部５２Ａ，５２Ｂ；５３Ａ，５３Ｂ；５４Ａ，５４Ｂ；５５Ａ，５５Ｂが、前記内側隆起部４５および前記外側隆起部４６の少なくとも一方に一体に連なって形成されるので、前記ヨーク対応部４０および前記第１〜第４の壁部５２〜５５の剛性を確保することができる。
【００５１】
また前記第１相コイル部２８ａから延出される第１相渡り線２８ｂを前記第１ガイド部４７Ａ，４７Ｂ側に導くようにして前記ステータコア２６の半径方向とは斜めに交差するように延びる第１ガイド面５６Ａ，５６Ｂが、前記第１相コイル部２８ａおよび前記第２相コイル部２９ａ間の前記内側隆起部４５および前記外側隆起部４６のいずれか他方（この実施の形態では第１の内側ティース対応部４１Ａの内側隆起部４５ならびに第４の外側ティース対応部４２Ｄの外側隆起部４６）に形成され、前記第２相コイル部２９ａから延出される第２相渡り線２９ｂを前記第２ガイド部４８Ａ，４８Ｂ側に導くようにして前記ステータコア２６の半径方向とは斜めに交差するように延びる第２ガイド面５７Ａ，５７Ｂが、前記第２相コイル部２９ａおよび前記第３相コイル部３０ａ間の前記内側隆起部４５および前記外側隆起部４６のいずれか一方（この実施の形態では第２の外側ティース対応部４２Ｂの外側隆起部４６ならびに第５の内側ティース対応部４１Ｅの内側隆起部４５）に形成されるので、第１相渡り線２８ｂおよび第２相渡り線２９ｂを第１相コイル部２８ａおよび第２相コイル部２９ａから第１ガイド部４７Ａ，４７Ｂおよび第２ガイド部４８Ａ，４８Ｂに滑らかに導くことができる。
【００５２】
また前記ステータコア２６が円筒状の冷却スリーブ１４に焼き嵌めされ、絶縁部材２７における第１〜第６の外側ティース対応部４２Ａ〜４２Ｆのうち選択された複数の外側ティース対応部、この実施の形態では第２および第４の外側ティース対応部４２Ｂ，４２Ｅの突出端部にＵ字状の切欠き部６２が形成され、前記第１相渡り線２８ｂ、前記第２相渡り線２９ｂおよび前記第３相渡り線３０ｂは、前記切欠き部６２との重畳を避ける位置に配置されるので、絶縁部材２７が装着された状態の前記ステータコア２６を前記切欠き部６２に挿入される治具で前記冷却スリーブ１４に容易に押し込むことができる。
【００５３】
さらにコア片３４の両端部に一対ずつの絶縁部材片３５がそれぞれ装着された状態で前記第１相巻線２８、前記第２相巻線２９および前記第３相巻線３０が巻き付けられることで構成される第１、第２および第３の小組みユニット５８Ａ，５８Ｂ，５８Ｃが相互に結合されることでステータ７が組立られるものであり、第１〜第３の小組みユニット５８Ａ〜５８Ｃにおける第１相巻線２８の第１相渡り線２８ｂの終端、第２相巻線２９の第２相渡り線２９ｂの終端、ならびに第３相巻線３０の第３相渡り線３０ｂの終端が第１〜第３の小組みユニット５８Ａ〜５８Ｃの結合部近傍に配置される結線部５９Ａ，５９Ｂ，５９Ｃで結線されるので、ステータ７における第１、第２および第３相巻線２８〜３０のトロイダル巻きの占積率を高めるとともに、第１、第２および第３相巻線２８〜３０を均質な長さで巻回したコア片３４同士を結合することができる。
【００５４】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００５５】
１４・・・冷却スリーブ
２６・・・ステータコア
２７・・・絶縁部材
２８・・・第１相巻線
２８ａ・・・第１相コイル部
２８ｂ・・・第１相渡り線
２９・・・第２相巻線
２９ａ・・・第２相コイル部
２９ｂ・・・第２相渡り線
３０・・・第３相巻線
３０ａ・・・第３相コイル部
３０ｂ・・・第３相渡り線
３１・・・ヨーク
３２・・・内側ティース
３３・・・外側ティース
４０・・・ヨーク対応部
４１Ａ，４１Ｂ，４１Ｃ，４１Ｄ，４１Ｅ，４１Ｆ・・・内側ティース対応部
４２Ａ，４２Ｂ，４２Ｃ，４２Ｄ，４２Ｅ，４２Ｆ・・・外側ティース対応部
４５・・・内側隆起部
４６・・・外側隆起部
４７Ａ，４７Ｂ・・・第１ガイド部
４８Ａ，４８Ｂ・・・第２ガイド部
４９Ａ，４９Ｂ・・・第３ガイド部
５０Ａ，５０Ｂ・・・第４ガイド部
５１Ａ，５１Ｂ・・・第５ガイド部
５２Ａ，５２Ｂ，５３Ａ，５３Ｂ，５４Ａ，５４Ｂ，５５Ａ，５５Ｂ・・・壁部
５６Ａ，５６Ｂ・・・第１ガイド面
５７Ａ，５７Ｂ・・・第２ガイド面
６２・・・切欠き部
ＬＡ・・・内側ティースのヨークからの突出長さ
ＬＢ・・・外側ティースのヨークからの突出長さ
Ｗ・・・ヨークの幅
【図１】
2020065413.tif 000003
【図２】
2020065413.tif 000004
【図３】
2020065413.tif 000005
【図４】
2020065413.tif 000006